(57)【要約】【課題】基地局装置によって形成される通信エリア内において、基地局装置と端末装置との接続処理の期間を短縮したい。【解決手段】制御部６４は、端末装置からの認証要求を受信すると、当該端末装置へ認証応答を送信する。また、制御部６４は、認証応答を送信した端末装置からの接続要求を受信すると、当該端末装置へ接続応答を送信する。制御部６４は、接続応答を送信した端末装置に対して、データ通信を実行する。さらに、制御部６４は、認証要求の代わりに、他の基地局装置から既に接続が許可されている旨の通知を端末装置から受信すると、当該端末装置に対して、データ通信を実行する。【選択図】図６
2008236483.tif 000002
【特許請求の範囲】
【請求項１】
端末装置からの認証要求を受信すると、当該端末装置へ認証応答を送信する手段と、認証応答を送信した端末装置からの接続要求を受信すると、当該端末装置へ接続応答を送信する手段とを含む接続処理部と、
前記接続処理部が接続応答を送信した端末装置に対して、データ通信を実行する通信部とを備え、
前記通信部は、前記接続処理部が、認証要求の代わりに、他の基地局装置から既に接続が許可されている旨の通知を端末装置から受信すると、当該端末装置に対して、データ通信を実行することを特徴とする基地局装置。
【請求項２】
前記接続処理部および前記通信部は、他の基地局装置から既に接続が許可されている旨の通知と、データ信号とが含まれたパケット信号を端末信号から受信することを特徴とする請求項１に記載の基地局装置。
【請求項３】
予め他の基地局装置に関する情報を記憶する記憶部をさらに備え、
前記通信部は、前記接続処理部において受信した通知に含まれた他の基地局装置に関する情報が、前記記憶部に記憶されていれば、端末装置に対して、データ通信を実行することを特徴とする請求項１または２に記載の基地局装置。
【請求項４】
端末装置からの認証要求を受信すると、当該端末装置へ認証応答を送信する手段と、認証応答を送信した端末装置からの接続要求を受信すると、当該端末装置へ接続応答を送信する手段とを含む接続処理部と、
前記接続処理部が接続応答を送信した端末装置に対して、データ通信を実行する通信部とを備え、
前記接続処理部は、他の基地局装置と端末装置との間の通信を確認し、
前記通信部は、前記接続処理部が接続応答を送信していない端末装置であっても、前記接続処理部において他の基地局装置との間の通信を確認した端末装置に対して、データ通信を実行することを特徴とする基地局装置。
【請求項５】
基地局装置へ認証要求を送信すると、当該基地局装置からの認証応答を受信する手段と、認証応答が受信された基地局装置へ接続要求を送信すると、当該基地局装置からの接続応答を受信する手段とを含む接続処理部と、
前記接続処理部において接続応答が受信された基地局装置に対して、データ通信を実行する通信部とを備え、
前記通信部は、前記接続処理部が他の基地局装置から既に接続を許可されている場合、認証要求の代わりに、許可されている旨の通知を基地局装置へ送信するとともに、当該基地局装置に対して、データ通信を実行することを特徴とする端末装置。
【請求項６】
基地局装置へ認証要求を送信すると、当該基地局装置からの認証応答を受信する手段と、認証応答が受信された基地局装置へ接続要求を送信すると、当該基地局装置からの接続応答を受信する手段とを含む接続処理部と、
前記接続処理部において接続応答が受信された基地局装置に対して、データ通信を実行する通信部とを備え、
前記通信部は、前記接続処理部が他の基地局装置から既に接続を許可されている場合、前記接続処理部において接続応答が受信された基地局装置でなくても、データ通信を実行し、当該基地局装置からデータ通信を拒否されると、認証要求の代わりに、他の基地局装置から既に接続が許可されている旨の通知を基地局装置に送信するとともに、当該基地局装置に対して、データ通信を実行することを特徴とする端末装置。
【請求項７】
前記通信部は、他の基地局装置から既に接続を許可されている旨の通知と、データ信号とが含まれたパケット信号を基地局装置へ送信することを特徴とする請求項５または６に記載の端末装置。
【請求項８】
前記接続処理部は、前記通信部が、基地局装置からデータ通信を拒否されると、当該基地局装置へ認証要求を送信することを特徴とする請求項５から７のいずれかに記載の端末装置。
【請求項９】
端末装置からの認証要求を受信すると、当該端末装置へ認証応答を送信するステップと、
認証応答を送信した端末装置からの接続要求を受信すると、当該端末装置へ接続応答を送信するステップと、
接続応答を送信した端末装置に対して、データ通信を実行するステップとを備え、
前記データ通信を実行するステップは、認証要求の代わりに、他の基地局装置から既に接続が許可されている旨の通知を端末装置から受信すると、当該端末装置に対して、データ通信を実行することを特徴とする通信方法。
【請求項１０】
端末装置からの認証要求を受信すると、当該端末装置へ認証応答を送信するステップと、
認証応答を送信した端末装置からの接続要求を受信すると、当該端末装置へ接続応答を送信するステップと、
接続応答を送信した端末装置に対して、データ通信を実行するステップとを備え、
前記データ通信を実行するステップは、他の基地局装置と端末装置との間の通信を確認し、接続応答を送信していない端末装置であっても、他の基地局装置との間の通信を確認した端末装置に対して、データ通信を実行することを特徴とする通信方法。
【請求項１１】
基地局装置へ認証要求を送信すると、当該基地局装置からの認証応答を受信するステップと、
認証応答が受信された基地局装置へ接続要求を送信すると、当該基地局装置からの接続応答を受信するステップと、
接続応答が受信された基地局装置に対して、データ通信を実行するステップとを備え、
前記データ通信を実行するステップは、他の基地局装置から既に接続を許可されている場合、認証要求の代わりに、許可されている旨の通知を基地局装置へ送信するとともに、当該基地局装置に対して、データ通信を実行することを特徴とする通信方法。
【請求項１２】
基地局装置へ認証要求を送信すると、当該基地局装置からの認証応答を受信するステップと、
認証応答が受信された基地局装置へ接続要求を送信すると、当該基地局装置からの接続応答を受信するステップと、
接続応答が受信された基地局装置に対して、データ通信を実行するステップとを備え、
前記データ通信を実行するステップは、他の基地局装置から既に接続を許可されている場合、接続応答が受信された基地局装置でなくても、データ通信を実行し、当該基地局装置からデータ通信を拒否されると、認証要求の代わりに、他の基地局装置から既に接続が許可されている旨の通知を基地局装置に送信するとともに、当該基地局装置に対して、データ通信を実行することを特徴とする通信方法。
【発明の詳細な説明】
【技術分野】
【０００１】
本発明は、通信技術に関し、特に基地局装置と端末装置との間において信号を通信する通信方法ならびにそれを利用した端末装置および基地局装置に関する。
【背景技術】
【０００２】
路車間通信システムは、車両に搭載される移動局装置と、路上に設置される基地局装置とによって構成される。路車間通信システムでの基地局装置の通信領域の大きさは、限られており、限られた通信領域の広さよりもさらに広い通信領域が必要である場合には、複数の基地局装置が連ねられるように設置される。また、複数の基地局装置をまとめて管理する管理装置が設けられることによって、当該管理装置によって管理される基地局装置間を移動局装置がハンドオーバする際の認証処理の簡易化がなされる（例えば、特許文献１参照）。
【特許文献１】特開２００２−１１２３３７号公報
【発明の開示】
【発明が解決しようとする課題】
【０００３】
基地局装置と端末装置とによって構成される無線通信システムにおいて、基地局装置と端末装置との間では、一般的に通信に先立って接続処理が実行される。このような接続処理の一例は、以下のように実行される。端末装置は、基地局装置に認証要求信号を送信し、基地局装置が認証処理を実行すると、基地局装置は、端末装置に対して認証応答信号を送信する。その後、端末装置は、基地局装置に接続要求信号を送信し、基地局装置が接続処理を実行すると、基地局装置は、端末装置に対して接続応答信号を送信する。なお、以上の説明において、「接続処理」という用語には、認証処理の後に実行される接続処理を示す場合と、認証処理と接続処理の総称を示す場合とがあるが、以下では、これらを特に区別することなく、「接続処理」という用語を使用する。
【０００４】
接続処理が開始されてから完了するまでに所定の期間が必要とされる。例えば、前述の路車間通信システムのごとく、端末装置が車両に搭載されており、基地局装置によって形成される通信エリアを横切るように端末装置が移動している場合、接続処理が終了した後に通信が開始されても、すぐに端末装置が通信エリアの外に移動してしまうこともある。このような処理が繰り返されると、ハンドオーバのたびに基地局装置と端末装置のデータ通信が一定の時間に渡って切断され、また、通信エリア内においては、基地局装置と端末装置とのデータ通信の実行時間が短くなる。
【０００５】
本発明はこうした状況に鑑みてなされたものであり、その目的は、基地局装置によって形成される通信エリア内において、基地局装置と端末装置との接続処理の期間を短縮するための通信技術を提供することにある。
【課題を解決するための手段】
【０００６】
上記課題を解決するために、本発明のある態様の基地局装置は、端末装置からの認証要求を受信すると、当該端末装置へ認証応答を送信する手段と、認証応答を送信した端末装置からの接続要求を受信すると、当該端末装置へ接続応答を送信する手段とを含む接続処理部と、接続処理部が接続応答を送信した端末装置に対して、データ通信を実行する通信部とを備える。通信部は、接続処理部が、認証要求の代わりに、他の基地局装置から既に接続が許可されている旨の通知を端末装置から受信すると、当該端末装置に対して、データ通信を実行する。
【０００７】
この態様によると、認証要求の代わりに、他の基地局装置から既に接続が許可されている旨の通知を受信すると、当該端末装置に対して、データ通信を実行することによって、接続処理を省略するので、基地局装置と端末装置との接続処理の期間を短縮できる。
【０００８】
接続処理部および通信部は、他の基地局装置から既に接続が許可されている旨の通知と、データ信号とが含まれたパケット信号を端末信号から受信してもよい。この場合、他の基地局装置から既に接続が許可されている旨の通知と、データ信号とは、同一のパケット信号に含まれているので、伝送効率を向上できる。
【０００９】
予め他の基地局装置に関する情報を記憶する記憶部をさらに備えてもよい。通信部は、接続処理部において受信した通知に含まれた他の基地局装置に関する情報が、記憶部に記憶されていれば、端末装置に対して、データ通信を実行してもよい。この場合、記憶した情報に応じて、端末装置の接続を許可するので、セキュリティについての安全性を向上できる。
【００１０】
本発明の別の態様もまた、基地局装置である。この装置は、端末装置からの認証要求を受信すると、当該端末装置へ認証応答を送信する手段と、認証応答を送信した端末装置からの接続要求を受信すると、当該端末装置へ接続応答を送信する手段とを含む接続処理部と、接続処理部が接続応答を送信した端末装置に対して、データ通信を実行する通信部とを備える。接続処理部は、他の基地局装置と端末装置との間の通信を確認し、通信部は、接続処理部が接続応答を送信していない端末装置であっても、接続処理部において他の基地局装置との間の通信を確認した端末装置に対して、データ通信を実行する。
【００１１】
この態様によると、他の基地局装置と端末装置との間の通信を確認できた場合に、当該端末装置に対して、接続応答を送信していなくてもデータ通信を実行することによって、接続処理を省略するので、基地局装置と端末装置との接続処理の期間を短縮できる。
【００１２】
本発明のさらに別の態様は、端末装置である。この装置は、基地局装置へ認証要求を送信すると、当該基地局装置からの認証応答を受信する手段と、認証応答が受信された基地局装置へ接続要求を送信すると、当該基地局装置からの接続応答を受信する手段とを含む接続処理部と、接続処理部において接続応答が受信された基地局装置に対して、データ通信を実行する通信部とを備える。通信部は、接続処理部が他の基地局装置から既に接続を許可されている場合、認証要求の代わりに、許可されている旨の通知を基地局装置へ送信するとともに、当該基地局装置に対して、データ通信を実行する。
【００１３】
この態様によると、認証要求の代わりに、他の基地局装置から既に接続が許可されている旨の通知を送信することによって、接続処理を省略するので、基地局装置と端末装置との接続処理の期間を短縮できる。
【００１４】
本発明のさらに別の態様もまた、端末装置である。この装置は、基地局装置へ認証要求を送信すると、当該基地局装置からの認証応答を受信する手段と、認証応答が受信された基地局装置へ接続要求を送信すると、当該基地局装置からの接続応答を受信する手段とを含む接続処理部と、接続処理部において接続応答が受信された基地局装置に対して、データ通信を実行する通信部とを備える。通信部は、接続処理部が他の基地局装置から既に接続を許可されている場合、接続処理部において接続応答が受信された基地局装置でなくても、データ通信を実行し、当該基地局装置からデータ通信を拒否されると、認証要求の代わりに、他の基地局装置から既に接続が許可されている旨の通知を基地局装置に送信するとともに、当該基地局装置に対して、データ通信を実行する。
【００１５】
この態様によると、認証要求を送信する代わりに、データ通信を実行し、拒否された場合に、他の基地局装置から既に接続が許可されている旨の通知を送信することによって、接続処理を省略するので、基地局装置と端末装置との接続処理の期間を短縮できる。
【００１６】
通信部は、他の基地局装置から既に接続を許可されている旨の通知と、データ信号とが含まれたパケット信号を基地局装置へ送信してもよい。この場合、他の基地局装置から既に接続が許可されている旨の通知と、データ信号とは、同一のパケット信号に含まれているので、伝送効率を向上できる。
【００１７】
接続処理部は、通信部が、基地局装置からデータ通信を拒否されると、当該基地局装置へ認証要求を送信してもよい。この場合、認証要求を送信するので、ハンドオーバが確実に実行される。
【００１８】
本発明のさらに別の態様は、通信方法である。この方法は、端末装置からの認証要求を受信すると、当該端末装置へ認証応答を送信するステップと、認証応答を送信した端末装置からの接続要求を受信すると、当該端末装置へ接続応答を送信するステップと、接続応答を送信した端末装置に対して、データ通信を実行するステップとを備える。データ通信を実行するステップは、認証要求の代わりに、他の基地局装置から既に接続が許可されている旨の通知を端末装置から受信すると、当該端末装置に対して、データ通信を実行する。
【００１９】
本発明のさらに別の態様もまた、通信方法である。この方法は、端末装置からの認証要求を受信すると、当該端末装置へ認証応答を送信するステップと、認証応答を送信した端末装置からの接続要求を受信すると、当該端末装置へ接続応答を送信するステップと、接続応答を送信した端末装置に対して、データ通信を実行するステップとを備える。データ通信を実行するステップは、他の基地局装置と端末装置との間の通信を確認し、接続応答を送信していない端末装置であっても、他の基地局装置との間の通信を確認した端末装置に対して、データ通信を実行する。
【００２０】
本発明のさらに別の態様もまた、通信方法である。この方法は、基地局装置へ認証要求を送信すると、当該基地局装置からの認証応答を受信するステップと、認証応答が受信された基地局装置へ接続要求を送信すると、当該基地局装置からの接続応答を受信するステップと、接続応答が受信された基地局装置に対して、データ通信を実行するステップとを備える。データ通信を実行するステップは、他の基地局装置から既に接続を許可されている場合、認証要求の代わりに、許可されている旨の通知を基地局装置へ送信するとともに、当該基地局装置に対して、データ通信を実行する。
【００２１】
本発明のさらに別の態様もまた、通信方法である。この方法は、基地局装置へ認証要求を送信すると、当該基地局装置からの認証応答を受信するステップと、認証応答が受信された基地局装置へ接続要求を送信すると、当該基地局装置からの接続応答を受信するステップと、接続応答が受信された基地局装置に対して、データ通信を実行するステップとを備える。データ通信を実行するステップは、他の基地局装置から既に接続を許可されている場合、接続応答が受信された基地局装置でなくても、データ通信を実行し、当該基地局装置からデータ通信を拒否されると、認証要求の代わりに、他の基地局装置から既に接続が許可されている旨の通知を基地局装置に送信するとともに、当該基地局装置に対して、データ通信を実行する。
【００２２】
なお、以上の構成要素の任意の組合せ、本発明の表現を方法、装置、システム、記録媒体、コンピュータプログラムなどの間で変換したものもまた、本発明の態様として有効である。
【発明の効果】
【００２３】
基地局装置によって形成される通信エリア内において、基地局装置と端末装置との接続処理の期間を短縮できる。
【発明を実施するための最良の形態】
【００２４】
本発明を具体的に説明する前に、概要を述べる。本発明の実施例は、基地局装置と端末装置によって構成される通信システムに関する。基地局装置と通信可能な領域が、通信エリアとして定義されるが、一般的に通信エリアは、基地局装置を中心にしながら、略円状の形状を有する。端末装置が通信エリアに進入すると、端末装置と基地局装置との間において接続処理が実行された後、両者のデータ通信が実行される。端末装置が通信エリアを横切るように移動するときに、端末装置は、隣接した別の基地局装置との間において接続処理を実行することによって、別の基地局装置へのハンドオーバを実行する。
【００２５】
端末装置が自動車に搭載されている場合、端末装置の移動速度は高速であるので、ハンドオーバ処理が高速に実行されることが望ましい。一般的に、ハンドオーバ処理を高速に実行するために、基地局装置は、有線ネットワークを介して、端末装置に関する情報を互いに交換する。しかしながら、ハンドオーバ処理を簡易にするためには、有線ネットワークを介した情報交換がなされない方が望ましい。このような課題に対応するために、本実施例に係る通信システムは、以下の処理を実行する。
【００２６】
基地局装置と端末装置との接続処理が終了すると、基地局装置は、接続を許可したことが示された情報（以下、「オーソライズ情報」）を生成し、オーソライズ情報が含まれたパケット（以下、「オーソライズパケット」という）を端末装置に送信する。端末装置は、オーソライズパケットを受信すると、オーソライズ情報を記憶する。端末装置は、別の基地局装置へハンドオーバ処理を実行するときに、接続処理を実行せずに、オーソライズ情報が付加されたデータ信号を別の基地局装置に送信する。基地局装置は、オーソライズ情報を確認すると、当該端末装置の接続を許可し、当該端末装置とのデータ通信を実行する。このように接続処理が省略されるので、ハンドオーバが高速に実行される。
【００２７】
図１は、本発明の実施例に係る通信システム１００の構成を示す。通信システム１００は、端末装置１０、基地局装置１２と総称される第１基地局装置１２ａ、第２基地局装置１２ｂを含む。また、端末装置１０は、端末用アンテナ１４を含み、第１基地局装置１２ａは、第１基地局用アンテナ１６ａを含み、第２基地局装置１２ｂは、第２基地局用アンテナ１６ｂを含む。また、第１基地局用アンテナ１６ａ、第２基地局用アンテナ１６ｂは、基地局用アンテナ１６と総称される。第１エリア７０ａは、第１基地局装置１２ａによって形成され、第２エリア７０ｂは、第２基地局装置１２ｂによって形成される。また、第１エリア７０ａ、第２エリア７０ｂは、エリア７０と総称される。
【００２８】
第１基地局装置１２ａと第２基地局装置１２ｂとは、図示しないネットワークによって接続されている。また、第１基地局装置１２ａは、第１基地局用アンテナ１６ａを介して、第１エリア７０ａを形成し、第２基地局装置１２ｂは、第２基地局用アンテナ１６ｂを介して、第２エリア７０ｂを形成する。また、第１エリア７０ａと第２エリア７０ｂとは、一部が重なっている。端末装置１０は、第１エリア７０ａの外部から第１基地局装置１２ａの方へ移動する。端末装置１０は、第１エリア７０ａに進入すると、第１基地局装置１２ａとの間において接続処理を実行する。接続処理の終了後、端末装置１０と第１基地局装置１２ａとは、データ通信を実行する。
【００２９】
端末装置１０が、第１エリア７０ａから第２エリア７０ｂへの方に移動すると、一般的に、第１基地局装置１２ａから第２基地局装置１２ｂへのハンドオーバ処理が実行される。ここで、第１基地局装置１２ａが切替元に相当し、第２基地局装置１２ｂが切替先に相当する。第１基地局装置１２ａと第２基地局装置１２ｂとの間において、ネットワークを介して、情報の交換がなされていれば、端末装置１０と第１基地局装置１２ａとの間の接続処理よりも簡易な処理によって、端末装置１０と第２基地局装置１２ｂとの接続が確立される。しかしながら、前述のごとく、ここでは、ネットワークを介した情報の交換がなされていないとする。
【００３０】
そのような場合、端末装置１０は、第２エリア７０ｂに進入すると、第２基地局装置１２ｂとの間において接続処理を実行しなければならない。通信システム１００では、そのような接続処理を回避するために、次の処理を実行する。端末装置１０と第１基地局装置１２ａとの接続処理が終了したとき、第１基地局装置１２ａは、端末装置１０にオーソライズパケットを送信する。オーソライズパケットには、オーソライズ情報が含まれており、オーソライズ情報は、第１基地局装置１２ａによって端末装置１０に対する認証処理および接続処理が完了した旨に相当する。
【００３１】
端末装置１０は、オーソライズパケットを受信すると、オーソライズ情報を記憶する。端末装置１０が第２エリア７０ｂに進入すると、端末装置１０は、オーソライズ情報が付加されたデータ信号を第２基地局装置１２ｂに送信する。第２基地局装置１２ｂは、受信したオーソライズ情報を確認すると、端末装置１０に対する接続処理を実行せずに、端末装置１０とのデータ通信を許可する。つまり、接続処理が省略されることによって、速やかなハンドオーバ処理が実行され、直ちにデータ通信が実行される。
【００３２】
図２は、通信システム１００の比較対象になる通信システムにおける通信手順を示すシーケンス図である。端末装置は、基地局装置に対して、認証要求パケットを送信する（Ｓ１０）。基地局装置は、端末装置に対して、認証応答パケットを送信する（Ｓ１２）。端末装置は、基地局装置に対して、接続要求パケットを送信する（Ｓ１４）。基地局装置は、端末装置に対して、接続応答パケットを送信する（Ｓ１６）。その後、端末装置と基地局装置とは、データ通信を実行する（Ｓ１８）。ここで、ステップ１０からステップ１６が前述の接続処理に相当する。そのため、図１の端末装置１０と第１基地局装置１２ａとは、図２のステップ１０からステップ１６を実行する。
【００３３】
図３（ａ）−（ｄ）は、通信システム１００におけるパケットフォーマットを示す。図３（ａ）は、認証要求パケットのフォーマットを示しており、図２のステップ１０にて送信される信号である。「プリアンブル」は、既知信号であり、トレーニング信号とも呼ばれる。「ヘッダ」は、制御信号である。「認証要求」には、基地局装置１２に対して認証を要求する旨が示されている。図３（ｂ）は、認証応答パケットのフォーマットを示しており、図２のステップ１２にて送信される信号である。「プリアンブル」と「ヘッダ」は、図３（ａ）と同様である。「認証応答」には、基地局装置１２での認証結果が示されている。図２のステップ１４と１６における接続要求パケットと接続応答パケットも、図３（ａ）および（ｂ）と同様に形成される。
【００３４】
図３（ｃ）は、オーソライズパケットのフォーマットを示す。オーソライズパケットは、図１において、第１基地局装置１２ａが端末装置１０との接続処理を完了したときに、第１基地局装置１２ａから端末装置１０へ送信される信号である。「プリアンブル」と「ヘッダ」は、図３（ａ）と同様である。「オーソライズ情報」には、接続要求が完了した旨、接続された端末装置１０の識別番号、接続した基地局装置１２の識別番号、有効範囲等が含まれる。オーソライズ情報の有効範囲は、有効期限、有効エリア、有効回数を含み、それぞれは、オーソライズ情報が有効であると見なされる時間、オーソライズ情報が有効と見なされる基地局の設置エリア、オーソライズ情報が有効と見なされるハンドオーバの回数に相当する。例えば、有効回数が１回と規定されることによって、オーソライズ情報は、隣り合った基地局装置１２間に制限される。図３（ｄ）は、オーソライズ情報が付加されたデータ信号のフォーマットを示す。この信号は、図１において、端末装置１０から第２基地局装置１２ｂへ最初に送信される信号である。「プリアンブル」と「ヘッダ」は、図３（ａ）と同様である。「オーソライズ情報」には、接続要求が完了した旨、既に接続した基地局装置１２の識別番号、端末装置１０の識別番号、有効範囲等が含まれる。
【００３５】
図４は、端末装置１０の構成を示す。端末装置１０は、端末用アンテナ１４、パケット通信部２０、信号処理部２２、状態管理部２４、記憶部２６を含む。また、パケット通信部２０は、パケット受信部２８、パケット送信部３０を含み、信号処理部２２は、パケット処理部３２、パケット生成部３４を含む。
【００３６】
パケット受信部２８は、端末用アンテナ１４において受信したパケット信号に対して、復調処理等を実行する。端末用アンテナ１４において受信したパケット信号は、無線周波数領域の信号であるので、パケット受信部２８は、パケット信号に対して、無線周波数領域からベースバンド領域への周波数変換を実行した後、復調処理、復号処理を実行し、物理レイヤよりも上位のレイヤにおいて規定されたパケット信号をパケット処理部３２に出力する。
【００３７】
パケット処理部３２は、パケット受信部２８からパケット信号を受けつけ、受けつけたパケット信号に含まれたパケット信号にしたがって、接続処理等の上位レイヤでの処理を実行する。上位レイヤとは、物理レイヤよりも上位に規定されるレイヤに相当する。パケット処理部３２は、処理結果を状態管理部２４に出力するとともに、処理結果に応じた次の処理、特に送信すべきパケット信号の生成をパケット生成部３４に指示する。
【００３８】
状態管理部２４は、パケット処理部３２での処理結果を受けつけ、状態を管理する。状態には、接続処理状態とデータ通信状態とが存在し、さらに接続処理状態には、認証状態と接続状態とが存在する。状態管理部２４の処理の詳細は、後述する。パケット生成部３４は、状態管理部２４において管理されている状態を参照しながら、パケット処理部３２からの指示に応じて、パケット信号を生成する。パケット生成部３４において生成されるパケット信号は、パケット処理部３２に入力されるパケット信号に対応して、物理レイヤよりも上位のレイヤにおいて規定されたパケット信号に相当する。パケット生成部３４は、生成したパケット信号をパケット送信部３０に出力する。
【００３９】
パケット送信部３０は、パケット生成部３４からのパケット信号に対して、符号化処理、変調処理を実行する。また、パケット送信部３０は、変調したパケット信号に対して、ベースバンド領域から無線周波数領域への周波数変換を実行した後、周波数変換したパケット信号を端末用アンテナ１４から送信する。パケット受信部２８とパケット送信部３０での処理が無線通信処理に相当するが、前述の図１において、基地局装置１２にアクセス可能なように、無線通信が実行される。
【００４０】
ここで、状態管理部２４の処理を具体的に説明する。状態管理部２４は、図１の第１エリア７０ａに進入する状況、つまり新たに第１基地局装置１２ａと接続する状況において
第１基地局装置１２ａへ、パケット生成部３４、パケット送信部３０を介して、認証要求パケットを送信する。なお、このような状況の検出は、公知の技術によって、例えば受信電力をもとになされればよい。その後、状態管理部２４は、パケット受信部２８、パケット処理部３２を介して、第１基地局装置１２ａからの認証応答パケットを受信する。また、状態管理部２４は、認証応答パケットが受信された第１基地局装置１２ａへ、パケット生成部３４、パケット送信部３０を介して、接続要求パケットを送信する。さらに、状態管理部２４は、パケット受信部２８、パケット処理部３２を介して、第１基地局装置１２ａからの接続応答パケットを受信する。以上の処理は、図２のステップ１０から１６に相当し、接続処理とも呼ばれる。
【００４１】
また、接続処理の終了後、状態管理部２４は、パケット受信部２８、パケット処理部３２を介して、第１基地局装置１２ａからオーソライズパケットを受信する。オーソライズパケットの構成は、図３（ｃ）に示されるとおりである。状態管理部２４は、オーソライズパケットを受信すると、オーソライズ情報を抽出し、記憶部２６に記憶する。図５は、記憶部２６に記憶されるデータのデータ構造を示す。図示のごとく、接続を許可した基地局装置１２の識別番号、有効期限が記憶される。図４に戻る。その後、状態管理部２４は、パケット通信部２０、信号処理部２２に対して、接続応答パケットが受信された第１基地局装置１２ａとのデータ通信を実行させる。
【００４２】
状態管理部２４は、図１の第１エリア７０ａから第２エリア７０ｂに移動する状況、つまりハンドオーバ処理を実行する状況において、切替元の第１基地局装置１２ａから既に接続を許可されている場合、認証要求パケットの代わりに、記憶部２６に記憶されたオーソライズ情報を切替先の第２基地局装置１２ｂへ送信するとともに、当該第２基地局装置１２ｂに対して、パケット生成部３４、パケット送信部３０を介して、データパケットを送信する。なお、このような状況の検出も、公知の技術によって、例えば受信電力をもとになされればよい。また、オーソライズ情報と、データ信号とは、図３（ｄ）のごとく、ひとつのパケット信号に含まれている。
【００４３】
第２基地局装置１２ｂにおいて、このようなオーソライズ情報が許可された場合、つまり端末装置１０との接続が許可された場合、状態管理部２４は、パケット受信部２８、パケット処理部３２を介して、第２基地局装置１２ｂからオーソライズパケットを受信し、オーソライズ情報を記憶部２６に記憶してもよい。その後、状態管理部２４は、パケット通信部２０、信号処理部２２に対して、オーソライズパケットが受信された第２基地局装置１２ｂとのデータ通信を実行させる。一方、状態管理部２４は、オーソライズ情報が付加されたデータパケットを送信した第２基地局装置１２ｂから、データ通信を拒否されると、当該第２基地局装置１２ｂへ認証要求パケットを送信する。つまり、前述と同様の接続処理が実行される。
【００４４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４５】
図６は、基地局装置１２の構成を示す。基地局装置１２は、基地局用アンテナ１６、パケット通信部５０、信号処理部５２、有線通信部５４、記憶部６６を含む。また、パケット通信部５０は、パケット受信部５６、パケット送信部５８を含み、信号処理部５２は、パケット処理部６０、パケット生成部６２、制御部６４を含む。
【００４６】
パケット受信部５６は、前述のパケット受信部２８と同様の処理を実行し、パケット送信部５８は、前述のパケット送信部３０と同様の処理を実行する。なお、パケット送信部５８は、定期的にビーコン信号を送信する。ビーコン信号には、基地局装置１２を識別するための情報が含まれている。
【００４７】
パケット処理部６０は、パケット受信部５６からパケット信号を受けつけ、受けつけたパケット信号に含まれたパケット信号にしたがって、接続処理等の上位レイヤでの処理を実行する。上位レイヤとは、物理レイヤよりも上位に規定されるレイヤに相当する。パケット処理部６０は、処理結果を制御部６４に出力する。制御部６４は、基地局装置１２全体の動作、端末装置１０に対する接続処理等を制御する。制御部６４の詳細は、後述する。
【００４８】
パケット生成部６２は、制御部６４からの指示に応じて、パケット信号を生成する。なお、パケット生成部６２において生成されるパケット信号は、パケット処理部６０に入力されるパケット信号に対応して、物理レイヤよりも上位のレイヤにおいて規定されたパケット信号に相当する。パケット生成部６２は、生成したパケット信号をパケット送信部５８に出力する。
【００４９】
有線通信部５４は、図示しない有線ネットワークに接続され、有線ネットワークを使用した有線通信を実行する。つまり、有線通信部５４は、パケット通信部５０、信号処理部５２によって受信した図示しない端末装置１０からのデータを有線ネットワークに出力する。また、有線通信部５４は、有線ネットワークから入力したデータを信号処理部５２に出力する。なお、有線通信部５４に対する制御は、制御部６４によってなされる。
【００５０】
ここで、制御部６４の処理を具体的に説明する。基地局装置１２が、図１の第１基地局装置１２ａに相当する場合、制御部６４は、パケット受信部５６、パケット処理部６０を介して、端末装置１０からの認証要求パケットを受信する。制御部６４は、端末装置１０を認証した後、パケット生成部６２、パケット送信部５８を介して、当該端末装置１０へ認証応答パケットを送信する。その後、制御部６４は、パケット受信部５６、パケット処理部６０を介して、認証応答パケットを送信した端末装置１０からの接続要求パケットを受信する。
【００５１】
制御部６４は、端末装置１０の接続を決定した後、パケット生成部６２、パケット送信部５８を介して、当該端末装置１０へ接続応答パケットを送信する。以上の処理は、図２のステップ１０から１６に相当する。また、制御部６４は、接続した端末装置１０に対して、図３（ｃ）に示されたオーソライズパケットを送信する。なお、オーソライズパケットは、前述のとおりであるので、ここでは説明を省略する。その後、制御部６４は、パケット通信部５０、信号処理部５２に対して、接続応答パケットを受信した端末装置１０とのデータ通信を実行させる。
【００５２】
基地局装置１２が、図１の第２基地局装置１２ｂに相当する場合、制御部６４は、パケット受信部５６、パケット処理部６０を介して、認証要求パケットの代わりに、他の基地局装置１２から既に接続が許可されている旨のオーソライズ情報を端末装置１０から受信する。ここで、オーソライズ情報は、データ信号とともに、図３（ｄ）のごとくひとつのパケット信号を形成している。なお、記憶部６６には、予め他の基地局装置１２に関する情報が記憶されている。ここで、他の基地局装置１２に関する情報とは、接続処理を代理させる基地局装置１２についての情報である。つまり、端末装置１０から受信したオーソライズ情報に含まれた基地局装置１２の識別番号が、記憶部６６に記憶されていれば、制御部６４は、当該端末装置１０の接続を許可する。
【００５３】
一方、端末装置１０から受信したオーソライズ情報に含まれた基地局装置１２の識別番号が、記憶部６６に記憶されていなければ、制御部６４は、当該端末装置１０の接続を拒否する。図７は、記憶部６６に記憶されるデータのデータ構造を示す。図示のごとく、接続を代理させる基地局装置１２の識別番号が示されている。図６に戻る。その後、制御部６４は、パケット通信部５０、信号処理部５２に対して、当該端末装置１０とのデータ通信を実行させる。
【００５４】
以上の構成による通信システム１００の動作を説明する。図８は、通信システム１００における通信手順を示すシーケンス図である。端末装置１０は、第１基地局装置１２ａに対して、認証要求パケットを送信する（Ｓ３０）。第１基地局装置１２ａは、端末装置１０に対して、認証応答パケットを送信する（Ｓ３２）。端末装置１０は、第１基地局装置１２ａに対して、接続要求パケットを送信する（Ｓ３４）。第１基地局装置１２ａは、端末装置１０に対して、接続応答パケットを送信する（Ｓ３６）。また、第１基地局装置１２ａは、端末装置１０に対して、オーソライズパケットを送信し（Ｓ３８）、端末装置１０と第１基地局装置１２ａとの間において通信処理が実行される（Ｓ４０）。
【００５５】
その後、端末装置１０は、第２基地局装置１２ｂに対して、オーソライズ情報が付加されたデータパケットを送信する（Ｓ４２）。第２基地局装置１２ｂは、端末装置１０に対して、オーソライズパケットを送信してもよい（Ｓ４４）。その際、第２基地局装置１２ｂは、オーソライズ情報を更新してもよい。さらに、端末装置１０と第２基地局装置１２ｂとの間において通信処理が実行される（Ｓ４６）。
【００５６】
図９は、端末装置１０における通信手順を示すフローチャートである。記憶部２６がオーソライズ情報を取得していなければ（Ｓ６０のＮ）、状態管理部２４は、パケット生成部３４、パケット送信部３０を介して、認証要求パケットを送信する（Ｓ７０）。パケット受信部２８、パケット処理部３２を介して認証応答パケットを受信すれば（Ｓ７２のＹ）、状態管理部２４は、パケット生成部３４、パケット送信部３０を介して、接続要求パケットを送信する（Ｓ７４）。パケット受信部２８、パケット処理部３２を介して接続応答パケットを受信すれば（Ｓ７６のＹ）、状態管理部２４は、パケット受信部２８、パケット処理部３２を介して、オーソライズパケットを受信する（Ｓ７８）。状態管理部２４は、オーソライズパケットに含まれたオーソライズ情報を記憶部２６に記憶する（Ｓ８０）。その後、パケット通信部２０、信号処理部２２は、通信を実行する（Ｓ８２）。
【００５７】
一方、記憶部２６がオーソライズ情報を取得していれば（Ｓ６０のＹ）、状態管理部２４は、パケット生成部３４、パケット送信部３０を介して、オーソライズ情報が付加されたデータパケットを送信する（Ｓ６２）。拒否されなければ（Ｓ６４のＮ）、状態管理部２４は、パケット受信部２８、パケット処理部３２を介して、オーソライズパケットを受信する（Ｓ６６）。状態管理部２４は、オーソライズパケットに含まれたオーソライズ情報を記憶部２６に記憶する（Ｓ６８）。なお、ステップ６６と６８の処理は、省略されてもよい。その後、パケット通信部２０、信号処理部２２は、通信を実行する（Ｓ８２）。拒否されれば（Ｓ６４のＹ）、ステップ７０からの処理が実行される。また、パケット受信部２８、パケット処理部３２を介して認証応答パケットを受信しない場合（Ｓ７２のＮ）、あるいはパケット受信部２８、パケット処理部３２を介して接続応答パケットを受信しない場合（Ｓ７６のＮ）、通信不可とされる（Ｓ８４）。
【００５８】
図１０は、基地局装置１２における通信手順を示すフローチャートである。制御部６４は、オーソライズ情報が付加されたデータパケットを受信し（Ｓ１００のＹ）、記憶部６６を参照しながら許可すれば（Ｓ１０２のＹ）、パケット生成部６２、パケット送信部５８を介して、オーソライズパケットを送信する（Ｓ１１８）。なお、ステップ１１８の処理は、省略されてもよい。その後、パケット通信部５０、信号処理部５２は、通信を実行する（Ｓ１２０）。
【００５９】
一方、制御部６４は、許可しなければ（Ｓ１０２のＮ）、制御部６４は、パケット生成部６２、パケット送信部５８を介して、拒否信号を出力する（Ｓ１０４）。制御部６４は、パケット受信部５６、パケット処理部６０を介して、認証要求パケットを受信する（Ｓ１０６）。認証すれば（Ｓ１０８のＹ）、制御部６４は、パケット生成部６２、パケット送信部５８を介して、認証応答パケットを送信する（Ｓ１１０）。また、制御部６４は、パケット受信部５６、パケット処理部６０を介して、接続要求パケットを受信する（Ｓ１１２）。接続を決定すれば（Ｓ１１４のＹ）、制御部６４は、パケット生成部６２、パケット送信部５８を介して、接続応答パケットを送信する（Ｓ１１６）。制御部６４は、パケット生成部６２、パケット送信部５８を介して、オーソライズパケットを送信する（Ｓ１１８）。その後、パケット通信部５０、信号処理部５２は、通信を実行する（Ｓ１２０）。
【００６０】
制御部６４は、オーソライズ情報が付加されたデータパケットを受信しなければ（Ｓ１００のＮ）、ステップ１０６からの処理を実行する。また、認証しなければ（Ｓ１０８のＮ）、あるいは接続を決定しなければ（Ｓ１１４のＮ）、制御部６４は、接続を拒否する（Ｓ１２２）。
【００６１】
以下、別の実施例を説明する。別の実施例は、先述の実施例よりも、ハンドオーバ処理における切替先の処理の簡易化を目的とする。切替先の基地局装置１２は、切替元の基地局装置１２から端末装置１０に送信されるオーソライズパケットを予め傍受する。切替元の基地局装置１２から切替先の基地局装置１２へのハンドオーバ処理が実行される際、端末装置１０は、切替先の基地局装置１２に対して、データパケットを送信する。その際、認証要求パケットやオーソライズ情報は、送信されない。
【００６２】
切替先の基地局装置１２は、受信したデータパケットが、オーソライズパケットを傍受した端末装置１０から送信されたパケットであるかを確認する。傍受した端末装置１０から送信されたパケットである場合、切替先の基地局装置１２は、当該端末装置１０の接続を許可する。別の実施例に係る通信システム１００は、図１と同様のタイプであり、別の実施例に係る端末装置１０は、図４と同様のタイプであり、別の実施例に係る基地局装置１２は、図６と同様のタイプである。
【００６３】
ここで、端末装置１０の状態管理部２４の処理を具体的に説明する。図１の第１エリア７０ａに進入する状況、つまり新たに第１基地局装置１２ａと接続する状況において、状態管理部２４の処理は、実施例と同様であるので、ここでは説明を省略する。一方、状態管理部２４は、図１の第１エリア７０ａから第２エリア７０ｂに移動する状況、つまりハンドオーバ処理を実行する状況において、切替元の第１基地局装置１２ａから既に接続を許可されている場合、接続応答パケットが受信されていない第２基地局装置１２ｂへ、パケット生成部３４、パケット送信部３０を介して、データパケットを送信する。
【００６４】
第２基地局装置１２ｂにおいてデータパケットの送信が許可された場合、つまり端末装置１０との接続が許可された場合、状態管理部２４は、パケット受信部２８、パケット処理部３２を介して、切替先の第２基地局装置１２ｂからオーソライズパケットを受信してもよく、この場合、オーソライズ情報を記憶部２６に記憶する。その後、状態管理部２４は、パケット通信部２０、信号処理部２２に対して、第２基地局装置１２ｂとのデータ通信を実行させる。
【００６５】
一方、状態管理部２４は、当該第２基地局装置１２ｂからデータ通信を拒否されると、認証要求パケットの代わりに、記憶部２６に記憶されたオーソライズ情報を第２基地局装置１２ｂへ送信するとともに、当該第２基地局装置１２ｂに対して、パケット生成部３４、パケット送信部３０を介して、データパケットを送信する。また、オーソライズ情報と、データ信号とは、図３（ｄ）のごとく、ひとつのパケット信号に含まれている。
【００６６】
第２基地局装置１２ｂにおいてオーソライズ情報が許可された場合、つまり端末装置１０との接続が許可された場合、状態管理部２４は、パケット受信部２８、パケット処理部３２を介して、切替先の第２基地局装置１２ｂからオーソライズパケットを受信してもよく、この場合、オーソライズ情報を記憶部２６に記憶する。その後、状態管理部２４は、パケット通信部２０、信号処理部２２に対して、第２基地局装置１２ｂとのデータ通信を実行させる。一方、状態管理部２４は、オーソライズ情報が付加されたデータパケットを送信した第２基地局装置１２ｂから、データ通信を拒否されると、当該第２基地局装置１２ｂへ認証要求パケットを送信する。つまり、接続処理が実行される。
【００６７】
次に、基地局装置１２の制御部６４の処理を具体的に説明する。基地局装置１２が、図１の第１基地局装置１２ａに相当する場合、制御部６４の処理は、実施例と同様であるので、ここでは、説明を省略する。また、制御部６４は、他の基地局装置１２と端末装置１０との間の通信を確認する。具体的には、図１の第２基地局装置１２ｂの制御部６４は、パケット受信部５６、パケット処理部６０を介して、第１基地局装置１２ａから端末装置１０に送信されるオーソライズパケットを傍受する。さらに、制御部６４は、傍受したオーソライズパケットからオーソライズ情報を抽出して、記憶部６６に記憶する。なお、オーソライズ情報の中には、オーソライズパケットの宛先となる端末装置１０の識別番号が含まれている。これは、図１の第１基地局装置１２ａによって接続が許可された端末装置１０の識別番号であるといえる。このような処理は、複数の基地局装置１２が隣接して設置され、別の基地局装置１２から送信される信号を受信できるような環境において実行される。
【００６８】
図１の第２基地局装置１２ｂ、つまりハンドオーバ処理の切替先の基地局装置１２の制御部６４は、接続応答パケットを送信していない端末装置１０から、パケット受信部５６、パケット処理部６０を介して、データパケットを受信する。ここで、接続応答パケットを送信していない端末装置１０とは、接続を許可していない端末装置１０に相当する。制御部６４は、データパケットの内容を確認することによって、データパケットを送信した端末装置１０を特定する。また、制御部６４は、記憶部６６に記憶されたオーソライズ情報から、端末装置１０の識別番号を読み出し、特定した識別番号が、読み出した識別番号に含まれるかを確認する。
【００６９】
含まれる場合、制御部６４は、当該端末装置１０の接続を許可し、パケット生成部６２、パケット送信部５８を介して、オーソライズパケットを送信してもよい。また、制御部６４は、パケット通信部５０、信号処理部５２に対して、接続を許可した端末装置１０とのデータ通信を実行させる。一方、含まれない場合、制御部６４は、当該端末装置１０の接続を拒否する。その後、制御部６４は、パケット受信部５６、パケット処理部６０を介して、オーソライズ情報が付加されたデータパケットを、接続を拒否した端末装置から受信する。その後の処理は、実施例と同様であるので、説明を省略する。
【００７０】
図１１は、通信システム１００における別の通信手順を示すシーケンス図である。端末装置１０は、第１基地局装置１２ａに対して、認証要求パケットを送信する（Ｓ１４０）。第１基地局装置１２ａは、端末装置１０に対して、認証応答パケットを送信する（Ｓ１４２）。端末装置１０は、第１基地局装置１２ａに対して、接続要求パケットを送信する（Ｓ１４４）。第１基地局装置１２ａは、端末装置１０に対して、接続応答パケットを送信する（Ｓ１４６）。また、第１基地局装置１２ａは、端末装置１０に対して、オーソライズパケットを送信する（Ｓ１４８）。なお、当該オーソライズパケットは、第２基地局装置１２ｂにも傍受される（Ｓ１５０）。その後、端末装置１０と第１基地局装置１２ａとの間において通信処理が実行される（Ｓ１５２）。
【００７１】
その後、端末装置１０は、第２基地局装置１２ｂに対して、データパケットを送信する（Ｓ１５４）。第２基地局装置１２ｂは、端末装置１０に対して、オーソライズパケットを送信してもよい（Ｓ１５６）。さらに、端末装置１０と第２基地局装置１２ｂとの間において通信処理が実行される（Ｓ１５８）。
【００７２】
図１２は、端末装置１０における別の通信手順を示すフローチャートである。記憶部２６がオーソライズ情報を取得していなければ（Ｓ１７０のＮ）、状態管理部２４は、パケット生成部３４、パケット送信部３０を介して、認証要求パケットを送信する（Ｓ１８０）。パケット受信部２８、パケット処理部３２を介して認証応答パケットを受信すれば（Ｓ１８２のＹ）、状態管理部２４は、パケット生成部３４、パケット送信部３０を介して、接続要求パケットを送信する（Ｓ１８４）。パケット受信部２８、パケット処理部３２を介して接続応答パケットを受信すれば（Ｓ１８６のＹ）、状態管理部２４は、パケット受信部２８、パケット処理部３２を介して、オーソライズパケットを受信する（Ｓ１８８）。状態管理部２４は、オーソライズパケットに含まれたオーソライズ情報を記憶部２６に記憶する（Ｓ１９０）。その後、パケット通信部２０、信号処理部２２は、通信を実行する（Ｓ１９６）。
【００７３】
一方、記憶部２６がオーソライズ情報を取得していれば（Ｓ１７０のＹ）、状態管理部２４は、パケット生成部３４、パケット送信部３０を介して、データパケットを送信する（Ｓ１７２）。拒否されれば（Ｓ１７４のＹ）、状態管理部２４は、オーソライズ情報が付加されたデータパケットを送信する（Ｓ１７６）。拒否されなければ（Ｓ１７８のＮ）、状態管理部２４は、パケット受信部２８、パケット処理部３２を介して、オーソライズパケットを受信する（Ｓ１９２）。状態管理部２４は、オーソライズパケットに含まれたオーソライズ情報を記憶部２６に記憶する（Ｓ１９４）。なお、ステップ１９２と１９４の処理は、省略されてもよい。その後、パケット通信部２０、信号処理部２２は、通信を実行する（Ｓ１９６）。拒否されれば（Ｓ１７８のＹ）、ステップ１８０からの処理が実行される。
【００７４】
拒否されなければ（Ｓ１７４のＮ）、状態管理部２４は、パケット受信部２８、パケット処理部３２を介して、オーソライズパケットを受信する（Ｓ１９２）。状態管理部２４は、オーソライズパケットに含まれたオーソライズ情報を記憶部２６に記憶する（Ｓ１９４）。その後、パケット通信部２０、信号処理部２２は、通信を実行する（Ｓ１９６）。また、パケット受信部２８、パケット処理部３２を介して認証応答パケットを受信しない場合（Ｓ１８２のＮ）、あるいはパケット受信部２８、パケット処理部３２を介して接続応答パケットを受信しない場合（Ｓ１８６のＮ）、通信不可とされる（Ｓ１９８）。
【００７５】
図１３は、基地局装置１２における傍受手順を示すフローチャートである。制御部６４は、パケット受信部５６、パケット処理部６０を介して、オーソライズパケットを傍受すれば（Ｓ２１０のＹ）、オーソライズパケットに含まれたオーソライズ情報を記憶部６６に記憶する（Ｓ２１２）。一方、制御部６４が、パケット受信部５６、パケット処理部６０を介して、オーソライズパケットを傍受しなければ（Ｓ２１０のＮ）、処理は終了される。
【００７６】
図１４は、基地局装置１２における別の通信手順を示すフローチャートである。制御部６４は、データパケットを受信し（Ｓ２３０のＹ）、記憶部６６がオーソライズ情報を取得済であれば（Ｓ２３２のＹ）、制御部６４は、パケット生成部６２、パケット送信部５８を介して、オーソライズパケットを送信する（Ｓ２５２）。なお、ステップ２５２の処理は、省略されてもよい。その後、パケット通信部５０、信号処理部５２は、通信を実行する（Ｓ２５４）。一方、データパケットを受信せず（Ｓ２３０のＮ）、あるいは記憶部６６がオーソライズ情報を取得済でなければ（Ｓ２３２のＮ）、制御部６４は、オーソライズ情報が付加されたデータパケットを受信し（Ｓ２３４のＹ）、記憶部６６を参照しながら許可すれば（Ｓ２３６のＹ）、パケット生成部６２、パケット送信部５８を介して、オーソライズパケットを送信する（Ｓ２５２）。その後、パケット通信部５０、信号処理部５２は、通信を実行する（Ｓ２５４）。
【００７７】
一方、制御部６４は、許可しなければ（Ｓ２３６のＮ）、制御部６４は、パケット生成部６２、パケット送信部５８を介して、拒否信号を出力する（Ｓ２３８）。制御部６４は、パケット受信部５６、パケット処理部６０を介して、認証要求パケットを受信する（Ｓ２４０）。認証すれば（Ｓ２４２のＹ）、制御部６４は、パケット生成部６２、パケット送信部５８を介して、認証応答パケットを送信する（Ｓ２４４）。また、制御部６４は、パケット受信部５６、パケット処理部６０を介して、接続要求パケットを受信する（Ｓ２４６）。接続を決定すれば（Ｓ２４８のＹ）、制御部６４は、パケット生成部６２、パケット送信部５８を介して、接続応答パケットを送信する（Ｓ２５０）。制御部６４は、パケット生成部６２、パケット送信部５８を介して、オーソライズパケットを送信する（Ｓ２５２）。その後、パケット通信部５０、信号処理部５２は、通信を実行する（Ｓ２５４）。
【００７８】
制御部６４は、オーソライズ情報が付加されたデータパケットを受信しなければ（Ｓ２３４のＮ）、ステップ２４０からの処理を実行する。また、認証しなければ（Ｓ２４２のＮ）、あるいは接続を決定しなければ（Ｓ２４８のＮ）、制御部６４は、接続を拒否する（Ｓ２５６）。
【００７９】
本発明の実施例によれば、認証要求パケットの代わりに、オーソライズ情報を受信すると、当該端末装置に対して、データ通信を実行することによって、接続処理を省略するので、基地局装置と端末装置との接続処理の期間を短縮できる。また、受信したオーソライズ情報が、記憶したオーソライズ情報に一致する場合に、端末装置の接続を許可するので、セキュリティについての安全性を向上できる。また、オーソライズ情報とデータとが、同一のパケット信号に含まれているので、伝送効率を向上できる。また、接続が完了したときに、基地局装置は、端末装置にオーソライズパケットを送信するので、端末装置によって管理されるオーソライズ情報を更新できる。また、オーソライズ情報に期限を設けることによって、セキュリティについての安全性を向上できる。また、認証要求パケットの代わりに、オーソライズ情報を送信することによって、接続処理を省略するので、基地局装置と端末装置との接続処理の期間を短縮できる。また、オーソライズ情報が拒否された場合、認証要求パケットを送信するので、ハンドオーバが確実に実行される。
【００８０】
また、他の基地局装置から端末装置へのオーソライズパケットを傍受できた場合に、当該端末装置に対して、接続応答パケットを送信していなくてもデータ通信を実行することによって、接続処理を省略するので、基地局装置と端末装置との接続処理の期間を短縮できる。また、接続先の基地局装置は、端末装置から、データパケットのみを受信した場合であっても、当該端末装置に接続を許可するので、接続処理の期間を短縮できる。また、予めオーソライズパケットを傍受できなかった場合、接続先の基地局装置は、端末装置から、データパケットのみを受信すると、当該端末装置に接続を許可しないので、セキュリティについての安全性を向上できる。また、端末装置が認証要求パケットを送信する代わりにデータ通信を実行し、基地局装置から拒否された場合に、当該端末装置はオーソライズ情報を送信することによって、接続処理を省略するので基地局装置と端末装置との接続処理の期間を短縮できる。
【００８１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００８２】
本発明の実施例において、端末装置１０は、オーソライズ情報にデータを付加して送信する。しかしながらこれに限らず例えば、端末装置１０は、オーソライズ情報だけを送信してもよい。本実施例によっても、基地局装置１２は、オーソライズ情報を取得できる。
【００８３】
本発明の実施例において、ハンドオーバ処理の切替先の基地局装置１２は、切替元の基地局装置１２から端末装置１０へ送信されたオーソライズパケットを傍受する。しかしながらこれに限らず、切替先の基地局装置１２は、切替元の基地局装置１２と端末装置１０との間のデータパケットを傍受してもよい。その際、切替先の基地局装置１２は、傍受したデータパケットの宛先、送信元を解析することによって、オーソライズ情報を生成する。本変形例によれば、オーソライズパケットの受信を失敗して場合でも、オーソライズ情報を取得できる。
【図面の簡単な説明】
【００８４】
【図１】本発明の実施例に係る通信システムの構成を示す図である。
【図２】図１の通信システムの比較対象になる通信システムにおける通信手順を示すシーケンス図である。
【図３】図３（ａ）−（ｄ）は、図１の通信システムにおけるパケットフォーマットを示す図である。
【図４】図１の端末装置の構成を示す図である。
【図５】図４の記憶部に記憶されるデータのデータ構造を示す図である。
【図６】図１の基地局装置の構成を示す図である。
【図７】図６の記憶部に記憶されるデータのデータ構造を示す図である。
【図８】図１の通信システムにおける通信手順を示すシーケンス図である。
【図９】図４の端末装置における通信手順を示すフローチャートである。
【図１０】図６の基地局装置における通信手順を示すフローチャートである。
【図１１】図１の通信システムにおける別の通信手順を示すシーケンス図である。
【図１２】図４の端末装置における別の通信手順を示すフローチャートである。
【図１３】図６の基地局装置における傍受手順を示すフローチャートである。
【図１４】図６の基地局装置における別の通信手順を示すフローチャートである。
【符号の説明】
【００８５】
１０  端末装置、  １２  基地局装置、  １４  端末用アンテナ、  １６  基地局用アンテナ、  ２０  パケット通信部、  ２２  信号処理部、  ２４  状態管理部、  ２６  記憶部、  ２８  パケット受信部、  ３０  パケット送信部、  ３２  パケット処理部、  ３４  パケット生成部、  ５０  パケット通信部、  ５２  信号処理部、  ５４  有線通信部、  ５６  パケット受信部、  ５８  パケット送信部、  ６０  パケット処理部、  ６２  パケット生成部、  ６４  制御部、  ６６  記憶部、  １００  通信システム。
【図１】
2008236483.tif 000003
【図２】
2008236483.tif 000004
【図３】
2008236483.tif 000005
【図４】
2008236483.tif 000006
【図５】
2008236483.tif 000007
【図６】
2008236483.tif 000008
【図７】
2008236483.tif 000009
【図８】
2008236483.tif 000010
【図９】
2008236483.tif 000011
【図１０】
2008236483.tif 000012
【図１１】
2008236483.tif 000013
【図１２】
2008236483.tif 000014
【図１３】
2008236483.tif 000015
【図１４】
2008236483.tif 000016